(57)【要約】スマートフォン、タブレット、ＭＰ３プレーヤやその他の電子装置と共に使用される電子装置クレードルが開示される。１つの実施例において、クレードルは、家庭の一般的な家具の形状に形成され、電話を直立させ又は横にして受け入れ又はドックする（dock）ことを可能にする凹部を含む。クレードルは、様々な方法で電話及び照明機能を充電してクレードルの外観及び機能を高める充電装置を含む。【選択図】図２
2014521305.tif 000002
【特許請求の範囲】
【請求項１】
電子装置の支持に使用される家具形状の電子装置クレードルであって、
前記クレードルは、幅を有するクレードル本体を備え、
前記クレードル本体は、
底面と、
前記底面より高い座席部と、
前記座席部に対して傾けられた背もたれ部と、
前記座席部又は前記背もたれ部の少なくとも一方によって画定され電子装置の一部分を受け入れる第１凹部と、
を備えることを特徴とするクレードル。
【請求項２】
前記第１凹部は支持下面を含み、前記支持下面は前記座席部の下方かつ前記背もたれ部に隣接して位置することを特徴とする請求項１に記載のクレードル。
【請求項３】
前記クレードル本体は、第１アーム及び第２アームを更に備え、
前記第１アーム及び前記第２アームのそれぞれは、前記座席部の上方において上方向に伸び、かつ前記背もたれ部よりも外側に横方向に伸びることを特徴とする請求項１に記載のクレードル。
【請求項４】
前記第１アーム及び前記第２アームは、それぞれ第２凹部及び第３凹部を画定し、
前記第２凹部及び前記第３凹部は、前記電子装置の一部分を選択的に受け入れるために前記底面に向けて下方に伸びることを特徴とする請求項３に記載のクレードル。
【請求項５】
前記第２凹部及び前記第３凹部と前記第１凹部とが一列に並ぶことを特徴とする請求項４に記載のクレードル。
【請求項６】
前記第２凹部及び前記第３凹部は、前記電子装置を前記クレードルに受け入れるために、前記クレードル本体の前記第１凹部の支持下面よりも高い支持下面をそれぞれ含むことを特徴とする請求項５に記載のクレードル。
【請求項７】
前記背もたれ部は、前記座席部に対して斜め後ろに倒され、
前記第１凹部、前記第２凹部及び前記第３凹部の各々の前記支持下面は、前記背もたれ部に対して実質的に直角であることを特徴とする請求項６に記載のクレードル。
【請求項８】
前記クレードル本体は、前記第１凹部の下面から前記底面を通って伸びる第１貫通経路を更に画定し、
前記第１貫通経路は、オーディオ音声経路及び前記電子装置のためのコードを通す隙間の少なくとも一方を提供することを特徴とする請求項１に記載のクレードル。
【請求項９】
前記クレードル本体に接続される基部を更に備え、
前記基部は、少なくとも１つの第２貫通経路を画定するハウジングを有し、
前記第２貫通経路は、前記クレードル本体の前記第１貫通経路と連通し、前記クレードルの前面を通過する前記電子装置のオーディオ音声経路を提供することを特徴とする請求項１に記載のクレードル。
【請求項１０】
前記基部は、前記ハウジングに接続される回路基板を更に備え、
前記回路基板は、少なくとも、電源から電力を受ける第１ポートと前記回路基板からの電力を受けて選択的に転送する第２ポートとに電気的に接続されることを特徴とする請求項９に記載のクレードル。
【請求項１１】
前記基部は、前記回路基板と電子的に通信する少なくとも１つの照明装置を更に備えることを特徴とする請求項１０に記載のクレードル。
【請求項１２】
前記少なくとも１つの照明装置は、選択的に照明を行うための発光ダイオードであることを特徴とする請求項１１に記載のクレードル。
【請求項１３】
前記クレードル本体は凹型空洞を画定し、
前記凹型空洞と前記基部とが係合して前記凹型空洞に前記基部を受け入れることにより、前記基部が前記クレードル本体の前記底面に実質的に隠されることを特徴とする請求項１０に記載のクレードル。
【請求項１４】
スマートフォンの支持に使用される家具形状のスマートフォンクレードルであって、
前記クレードルは、クレードル本体を備え、
前記クレードル本体は、
底面と、
前記底面より高い実質的に水平の座席部と、
前記座席部に対して傾けられた背もたれ部と、
前記座席部から上方向に伸び、かつ前記背もたれ部よりも外側に伸びる第１アーム及び第２アームと、
前記クレードル本体に接続され、前記スマートフォンを充電する電源を提供する充電部と、
を備え、
前記クレードル本体は、前記座席部を通って前記底面へ向けて下方に伸び且つ前記第１アーム及び前記第２アームを通って伸びて支持下面を画定する側方凹部を画定し、前記側方凹部は、斜め後ろに倒された前記背もたれ部と実質的に平行に配置され、立位又は横たわった方向のいずれかに選択的に配向された前記スマートフォンの一部分を受け入れ、
前記クレードル本体は、前記座席部及び前記クレードルの前記底面を通る第１貫通経路を更に画定し、前記第１貫通経路は、前記クレードル本体を通過する第１オーディオ通路を提供し、
前記クレードル本体は、前記クレードル本体の一部分を横方向に通って伸長する第２貫通経路を更に画定し、前記第２貫通経路は前記第１貫通経路と連通して前記クレードル本体を通る横方向の第２オーディオ通路を提供することを特徴とするクレードル。
【請求項１５】
前記充電部が、
前記クレードル本体に接続された基部に載置された回路基板と、
前記回路基板と電気的に連絡し、前記電源に接続されて前記回路基板に給電する第１ポートと、
前記回路基板と電気的に連絡し、前記スマートフォンに電力を転送する第２ポートと、
前記回路基板と電気的に連絡し、前記クレードルから選択的に照明を提供する光源と、
を更に備えることを特徴とする請求項１４に記載のクレードル。
【請求項１６】
前記クレードル又は前記スマートフォンの少なくとも一方にディジタル方式で選択的に接続され、前記クレードル又は前記スマートフォンの前記少なくとも一つからの音声信号を受信して再生する少なくとも１つの家具形状のリモートスピーカを備えることを特徴とする請求項１４に記載のクレードル。
【請求項１７】
前記クレードルは、ミニチュアの椅子又はミニチュアのソファーの形状に形成されることを特徴とする請求項１６に記載のクレードル。
【請求項１８】
前記少なくとも１つの家具形状のリモートスピーカは、ミニチュアのテーブル型のスピーカ、ミニチュアのフロアランプ型のスピーカ及びミニチュアのオットマン型のスピーカを備えることを特徴とする請求項１７に記載のクレードル。
【発明の詳細な説明】
【技術分野】
【０００１】
本発明は、一般に、スマートフォンのような電子装置のクレードル、支持体、及びドッキングステーションの分野に関する。
【発明の概要】
【０００２】
本発明は、電子装置を支持するためのクレードルやドッキングステーションを開示する。電子装置は、例えばタブレット、ＭＰ３プレーヤ又はスマートフォンであってよいがこれに限定されるものではない。スマートフォンの非限定的な例は、ブラックベリー（登録商標）、ｉＰｈｏｎｅ（登録商標）又はドロイドのブランドのスマートフォンを含む。一つの例において、本発明は、例えば椅子のような家庭の一般的な家具の形状、例えばリビングルーム用椅子（sitting chair）の形をしており、電話の端部を下にして直立させ、又は電話の側面を下にして横たえて電話を置くことができる。
【０００３】
他の例において、本発明は、クレードル本体の一つ以上のポートと、クレードルに接続可能な電源コードと、クレードルに組み込まれた電子回路を用いることにより電子装置のバッテリを充電するいくつかの能力と方法を含む。
【０００４】
他の例において、クレードルは、電子装置により生成される可聴音を増加又は増幅するいくつかの手段を含み、この手段は、音声信号にクレードルの底面又はクレードルの前面を通過させるポート又は開口を含む。
【０００５】
他の例において、クレードルは、電話を直立して又は傾けて支持するための重り付きの滑り止め基部を呈する。他の例において、クレードル又は電子装置のいずれかからディジタル信号を受信して選択的に接続可能なリモートスピーカとともに、スピーカからオーディオ音声を届けるためにクレードルが用いられる。一つの実施例において、スピーカも、例えばミニチュアのテーブル、ミニチュアのフロアランプ及びミニチュアのオットマンのような、家庭の家具の形状を有する。
以下に続く詳細な説明は添付図面を参照しており、複数の図面を通して同様の参照番号は同様の部分を参照する。
【図面の簡単な説明】
【０００６】
【図１】安楽椅子の形状のクレードル装置の一実施例の斜視図である。
【０００７】
【図２】図１の実施例のクレードルと、直立した方向に置いたスマートフォンの形の電子装置の一例の斜視図である。
【０００８】
【図３】スマートフォンを回転させ又は横たえた図２の実施例のクレードルの代替的な斜視図である。
【０００９】
【図４】図１に示される装置の正面図である。
【００１０】
【図５】図１に示される装置の右側面図である。
【００１１】
【図６】図１に示される装置の左側面図である。
【００１２】
【図７】図１に示される装置の背面図である。
【００１３】
【図８】図１に示される装置の上面図である。
【００１４】
【図９】図１に示される装置の底面図である。
【００１５】
【図１０】図１に示される実施例の分解斜視図である。
【００１６】
【図１１】図１に示される実施例の代替的な分解斜視図である。
【００１７】
【図１２】図１に示されるクレードルの代替的なクレードルの斜視図である。
【００１８】
【図１３】図１８に示されるクレードルの正面図である。
【００１９】
【図１４】図１８に示されるクレードルの上面図である。
【００２０】
【図１５】図１８に示されるクレードルの右側面図である。
【００２１】
【図１６】図１８に示されるクレードルの背面図である。
【００２２】
【図１７】図１８に示されるクレードルの底面図である。
【００２３】
【図１８】図１４の１８―１８線に沿う断面図であり、さらに、装置に支持された従来のスマートフォンと付属の充電コードを示す。
【００２４】
【図１９】図１４の１９―１９線に沿う断面図であり、装置に支持された電話の使用を可能にし天然の音声増幅を提供するための、電話のスピーカから充電器の表面位置まで連絡通路を表す。
【００２５】
【図２０】図１６の２０―２０線に沿う断面図であり、装置の基部に組み込まれる回路基板配置を示し、第１の取付可能ＵＳＢプラグ端子を有する装置に接続される専用の電源コードと、これと組み合わされる別個のコードの両方を表し、別個のコードは、第１及び第２のプラグ端子を呈し、装置の第２の電源位置から電話まで伸びる。
【００２６】
【図２１】図１６の２１―２１線に沿う断面図であり、充電装置に接続される重り付き基部を表す。
【００２７】
【図２２】図１２のデザインを回転させた下側斜視図である。
【００２８】
【図２３】図１２に示されるアセンブリの部分分解図である。
【００２９】
【図２４】図１２に示されるアセンブリの分解図である。
【００３０】
【図２５】クレードルの充電部品に組み込まれる電力回路の実施例の概略図である。
【００３１】
【図２６】クレードル用のランプ形の音声出力付属品の実施例の斜視図である。
【００３２】
【図２７】図２６に表されるランプ形の付属品の上面図である。
【００３３】
【図２８】図２７の２８−２８線に沿う断面図である。
【００３４】
【図２９】９０度回転した図２７の２９―２９線に沿う断面図である。
【００３５】
【図３０】図２６のランプ形の付属品の分解図である。
【００３６】
【図３１】電話クレードル用のオットマン形の音声出力付属品の実施例の斜視図である。
【００３７】
【図３２】図３１のオットマン形の付属品の背面図である。
【００３８】
【図３３】図３１のオットマン形の付属品の側面図である。
【００３９】
【図３４】図３１のオットマン形の付属品の底面図である。
【００４０】
【図３５】図３２の３５―３５線に沿う断面図である。
【００４１】
【図３６】図３２の３６―３６線に沿う断面図である。
【００４２】
【図３７】図３２の３７―３７線に沿う断面図である。
【００４３】
【図３８】図３１のオットマン形の付属品の分解図である。
【発明を実施するための形態】
【００４４】
図１〜図２５を参照すると、電子装置用のクレードル１のいくつかの実施例が例示されている。ここで「電子装置」は、スマートフォン携帯電話装置、タブレット及びＭＰ３プレーヤを含むが、これに限定されるものではない。図２６〜図３８を参照すると、クレードル１で使うことができるリモートオーディオスピーカの実施例が例示されている。
【００４５】
例示される実施例において、クレードル１は、伝統的な様式の肘掛け付きの安楽椅子の好適な形状及び構成で示されている。図示していないが、クレードル１は、伝統的な又は現代的な様式の椅子、ソファー及び他の家具の他の形状を有していてもよい。他の形状は、例えばアディロンダック形式の椅子のような屋外家具又はビーチ家具（beach furniture）及び他の屋外の家具を含んでもよい。当業者に知られた他の形状及び構成を使ってもよい。
【００４６】
図２及び３に示すように、好適であるが独占的ではない応用例では、クレードル１は、好適には、立位又は横たわったスマートフォン２を受け入れ、支持し及び／又は”ドック（dock）する”。非限定的な実施例として、スマートフォンは、ブラックベリー（登録商標）、ｉＰｈｏｎｅ（登録商標）又はドロイドのどの形式でもよい。しかしながら、他のオペレーティングシステムをサポートするスマートフォンであってもよい。クレードル１は、ＭＰ３プレーヤ、例えばｉＰａｄ（登録商標）のようなタブレット装置、例えばニンテンドーＤＳ（登録商標）（但しこれに限定されない）のようなゲーム装置、他のオーディオ、ビデオ装置、及び当業者に知られた電子装置を含む、他の既知の電子装置と共に使用されるように構成されてもよいと理解される、
【００４７】
図１〜図３に示すように、クレードル１の実施例は、座席部１０ａ、背もたれ１０ｂ、第１アーム１０ｃ、第２アーム１０ｄ、及び底面１０ｅを有し、伝統的な肘掛け椅子の形状の本体１０を含んでいる。図１、図５及び図６に示すように、この実施例では、座席部１０ａは実質的に水平であり、概略的に示されるように背もたれ１０ｂは座席部１０ａから傾斜して後ろに倒され又は座席部１０ａから角度がオフセットされる。座席部１０ａは、本体１０に使用される特定の形式の椅子のデザインに適合し、又は特定の電子装置又は電子装置の特定の種類に適合し、クレードル１で使用される、他の形状又は向きを有することができると理解される。
【００４８】
図１及び図１１に示されるクレードルの実施例を参照すると、クレードル本体１０は、座席部１０ａ内に下方に伸びて支持下面１２ａで終端する第１凹部１２を含む。ここに示した例では、支持下面１２ａは、背もたれ１０ｂに対して実質的に垂直である。当業者に知られている第１凹部１２及び支持下面１２ａの他の角度及び構成を使用してもよい。
【００４９】
図１、図５、図６及び図１０に示される好適な実施例において、本体１０、第１アーム１０ｃ及び第２アーム１０ｄは、第２凹部１４ａ及び第３凹部１４ｂを更に含む。概略的に示されるように、第２凹部１４ａ及び第３凹部１４ｂは、好適には第１凹部１２と一列に並び、それぞれのアーム内へ下方に伸びて支持下面１４ｃで終端する。第１凹部の下部支持体面１２ａと同様に、支持下面１４ｃは、好適には背もたれ１０ｂに対して垂直に方向付けられ、座席部１０ａから角度がオフセットされている。この例では、アーム支持下面１４ｃは、第１凹部の支持下面１２ａよりも持ち上げられているか又は支持下面１２ａよりもより高い。図３に示すように、電話２を横たえて支持体１４ｃ上に配置及び支持する場合には、例えば図２に示すように、電話を立てて支持面１２の上に置く。当業者に知られているように、クレードル１の特定の形状及び構成に合わせて、支持面１４ｃの高さ、構成及び／又は位置を変えてもよい。例えば、ある種類の椅子や他の家具の形のクレードルの種類に応じて、凹部は、支持下面又は台のみを含み、凹部の正面及び背面の壁を持たなくてもよい。
【００５０】
図２〜図５に示すように、第１凹部１２、第２凹部１４ａ及び第３凹部１４ｂは、好ましくはスマートフォン２を受けるような大きさ、形状及び構成を有する。当業者に知られている他の電子装置を受ける他の形状及び構成を使用してもよい。好適なクレードル１の便利な特徴は、第１凹部１２、第２凹部１４ａ及び第３凹部１４ｂを用いる点にあり、従来の「万能（universal）」タイプのクレードルやドッキングステーションによくあるアダプタや補助部品なしで、簡単に電話２をクレードル１に直立させて又は垂直に係合させたり（図２）、横たえて係合させる（図３）ことができる。
【００５１】
好適な実施例において、図示のクレードル１は、クッション及びパッド入りアームを有する肘掛け椅子又はリビングルーム用椅子（sitting chair）の形に形成されて、伝統的な家庭用家具を模倣している。図１２〜２４に代替の構成を示す。クレードルのカバーは、好ましくは、特定の構成の家庭用家具のカバー、例えば当業者に知られている革、マイクロファイバ及び他の織物のカバーに一致するか又は模倣する。他の形又は構成（図示せず）において、椅子は、カバーされていない木でもよい。例えばアディロンダック・ビーチ型椅子であってよい。屋内用若しくは屋外用の又は伝統的な若しくは現代風の当業者に知られた他の一般的な家具の形式の形状の構成を持つクレードルを用いることができると理解される。
【００５２】
図１０及び図１１を参照する。図１に記載された好適なクレードルは、本体１０の底面に凹形空洞１６の一例を含み、凹型空洞１６は、おもりと統合された（combined weighted）例示的な充電照明部１７を受け入れるように構成され、充電照明部１７はクレードル１を安定させ、クレードル１に置かれた電話２又は他の電子装置に電源又は充電手段を提供し、クレードル１の下面から照明又は光を与えるために使用される。
【００５３】
実施例において、図１０及び図１１に示す充電部１７の実施例は回路基板２２を含み、回路基板２２の上には、例えばＬＥＤ素子２４及び２６のような照明装置と、オン／オフスイッチ２８（図示せず）と、調光モジュール（図示せず）と、回路基板２２との電子的な通信のための当業者に知られたＵＳＢポート３０及び３２が支持されている。実施例において、ＵＳＢポート３０は小さいサイズのＵＳＢポートかミニサイズのＵＳＢポートであり、ポート３２は標準サイズのＵＳＢポートである。当業者に知られている特定の電子装置及び応用例に適合する他の接続及びポートを使用してもよい。特定のクレードル１の形式、特徴及び機能に応じて、一つ以上の特定の部品を除いてもよいと理解される。
【００５４】
実施例において、装置１７は、更にＬＥＤライト２４及び２６と光導体又はレンズ１８を含んだ照明装置を含み、ＬＥＤライト２４及び２６は回路基板２２に電気的に接続され、光導体又はレンズ１８は、基部２０内のコーディネイト開口（coordinating aperture）１９に挿入され開口１９を通って伸長するように構成される（図９を参照）。図９に示すように、光導体１９は基部を通って下方に伸長し、２つのＬＥＤ２４及び２６のみの場合と対照的に、クレードル１の底からより均一且つ広範囲に放射される照明光源を提供する。実施例において、光導体１９の一部は、各ＬＥＤ２４及び２６に近接して又は直接接触するように配置され、ＬＥＤから光を光導体１９に導いて光導体１９を照明する。当業者に知られているように、光導体１９はアクリル、又は他の透明又は半透明の材料及び光学特性からできていてよい。
【００５５】
ＬＥＤ素子２４及び２６及び光導体１８は、望ましい視覚的照明又は照明効果を、例えばクレードル１の下に提供する。１つの実施例では、充電ユニット１７及び回路基板２２は、回路基板に組み込まれた機能を含み、この機能は、電源から充電ユニットへの電流（draw）以外に、例えばＬＥＤの調光の視覚的な兆候となるものを検出する。ここではＬＥＤのみを示したが、例えば光導体や当業者に知られている他の装置のような他の形式の照明装置をパッケージ化して、前述のＬＥＤと同様に固定してよい。
【００５６】
図１、図８、図９及び図１１に示すように、クレードル本体１０は、好ましくは大きな中央開口１２ｃを画定し、図２に示す向きでクレードル１に置かれた電話２に接続される電源コード又は充電コードを通すための通路を提供する。開口１２ｃは、電話２により生成された音声信号の通路を更に提供し、クレードル１が固い平坦な面に指示された場合に天然の増幅装置として機能する。音声の通路は、図１０に示すように装置１７の基部上に位置する直立フランジ２３によって、更に補助される。
【００５７】
図９〜図１１を参照すると、複数の台座支持脚部３４は、下側底面１０ｅのクレードル本体のそれぞれの偶部に、一般的な固定具１６又は、例えば接着剤のような、当業者に知られた他の手段により固定される。好適な実施例において、脚部３４は、柔らかで傷つけにくい（non-marring）ポリマー又はエラストマから作られ、底面には滑らない支持の提供を補助する十字ハッチング・パターンを含んでいてよい。当業者に知られている他の材料、構成及び位置を使用してもよい。回路及び電源を統合した重り付きサブアセンブリを本体の底面の空洞１６の内へ固定するために、例えばネジ（図示せず）のような複数の固定具を設けてもよい。空洞１６は、サブアセンブリと嵌り合う凹部形状プロファイルを持つ。また、装置１７を本体１０に固定するための当業者に知られた他の手段を用いてもよい。
【００５８】
図１０、図１６、図２０及び図２５に示すように、ＵＳＢポート３０及び３２は、更に電源コード８又は電源ケーブル８及びプラグ４４の使用を可能にする。電源コード８又は電源ケーブル８及びプラグ４４は、以下に説明するように電話２及び／又は底面のＬＥＤ素子に電源を供給するために、クレードル１と別個に又は専用に提供されてよい。当業者に知られている他のコード及びケーブルと共に、別個の及び専用の交流（ＡＣ）アダプタ（図示せず）及びコードが含まれていてもよい。電源コード８又はケーブル８は、クレードル１自体と一体化されていてもよい。
【００５９】
図２０に示すように、ケーブル８は、電話に典型的に付属している比較的短いケーブルであってもよく、例えば６フィード以上の比較的長いケーブルであってもよい。ケーブル８は、クレードル１の付属品として提供され、例えば電話付属品のＵＳＢ−１１０Ｖ変換器と共に使用してクレードル１を壁面コンセントに接続する第１ケーブル８として利用されるものであってよいが、これに限定されるものではない。電話及びコンセント変換器と共に備えられる第２ケーブル６（例えば典型的に比較的短い）は、そして、個別にクレードルの別のポート、例えばポート３２に接続される。このポートは、例えば回路基板２２を経由して第１ポート３０と電気的に連絡し、第１ケーブル８の入力端子９に電気的に接続し、第２端子５において電話２に接続している。クレードル１及び充電ユニット１７は、電話２に給電及び／又は電話２を充電し照明装置に給電する他の手段及び構成を含んでもよいと理解される。この手段は、クレードル１と協働してクレードル１及び／又は電話２の電源を供給する、当業者に知られた再充電可能電池、ＡＣアダプタ、又は他の電子装置を有してよい。記載されるように、中央開口１２ｃは、従来のコード６（図２６）に接続されるプラグインコネクタ５に接続できるようにする。好適な実施例では、コード６及びプラグ５は中央開口１２ｃを通過する。図２６に更に示すように、コード６のコネクタ端子５は、電話２に接続されたアクセスポートと係合する。図２６に示すように、コード６の反対側の端は更なるＵＳＢコネクタ７を含んでいてよい。ＵＳＢコネクタ７は、回路基板２２の充電部１７の背面に露出する選択された第１第ＵＳＢポート３２と係合する（図７参照）。図２６には、更なる第２コード８の長さの一部と、第２ＵＳＢポート３０に係合する第１端子９と、装置１０に電源を供給するための例えば典型的なＡＣコンセントプラグ４４を含んだ反対側端子１１が示されている。
【００６０】
一つの実施例において、装置に給電するための別個のプラグインコード８により充電部１７を作動させてよく、既存のスマートフォンコード６を、第１端子で電話２に係合させ、第２端子で充電部の通信給電ポートに係合させてよい。上記のように、充電部１７はスマートフォンの支持及び充電を提供する他の態様に修正してもよい。当業者に知られている他の手段及び構成を用いてもよい。
【００６１】
図１２〜図２４を参照する。図１〜図１１に示したクレードル１の代わりの実施例が、構成が異なる安楽椅子２００の形状で示されている。実施例では、他の例示的なクレードルのいくつかの特徴が類似するため、要旨のみを説明する。
【００６２】
図１２、図２２及び図２４に示すように、クレードル２００は本体２１０を含み、概略的に示し且つ代替の設計例について上述した通り、本体２１０は、座席部２１０ａ、背もたれ２１０ｂ、第１アーム２１０ｃ及び第２アーム２１０ｄを有する。第１凹部２１２、第１支持面２１２ａ、第２凹部２１４ａ及び第３凹部２１４ｂの構造及び向きは、従来の設計例と同様である。
【００６３】
代替の例示的な構成では、本体２１０は大きな中央開口４２を含み、図１８及び１９に示し且つ後述する通り、中央開口４２はクレードルの正面部分を通るように開口している。
【００６４】
図１２、図１９及び図２４に示す代替のクレードルの一実施例では、クレードル２００は、第１放音通路２３６及び第２放音通路２３８をクレードル２００の電話クレードル本体２１０内に含み、図１９の参照符号４で示されるような電話２に関するオーディオスピーカ出力が、支持下面２１２ａを通って下方に伝達され、空洞２１６の底面の開口２４１を通って伝達されることを可能にする。そして、通路２３６及び２３８は、基部の第２ハウジング又は下側ハウジング２２０により画定される通路２３９のそれぞれ（図２４の分解図を参照）を通して、出力音声信号を斜め又は前方へ伝達する。通路２３９は、図１２、図１３及び図２４に示すクレードル本体１０の前面に画定された前方開口２４０で終端している。
【００６５】
例示的なクレードル１の代替の実施例において、ここに示される実施例では、充電部の基部２１７は、概略的に示されるように空洞２１６内にフラッシュマウント（flush mounting）又はリセスマウント（recess mounting）できると共に、上述の機能を有する多数の部品を含む。当業者に知られている音声通路２３６及び２３８の変更及び構造を使用できると理解される。例えば、クレードル２００の高度化又はモデルに応じて、同様に、クレードル２００と共に使用される装置に応じて、単一の又は複数の通路を用いてよい。
【００６６】
図２４に示すように、代替のクレードル２００は第１ハウジング又は上側ハウジング２１８及び第２ハウジング又は下側ウジング２２０を含む基部を有する充電照明部２１７を含む。この実施例では、充電部の基部は「Ｕ」字形状の構成を有するが、当業者に知られている他の構成が用いられてもよい。
【００６７】
クレードル２００の充電部２１７は、好ましくは回路基板２２２を含む。回路基板２２２上には、例えばＬＥＤ素子２２４及び２２６である照明装置とオン／オフスイッチ２２８が支持されている。装置２１７は、更に調光モジュール（図示せず）を含んでよい。装置２１７は、更に、回路基板２２２と電子的に通信を行う当業者に知られたＵＳＢポート２３０及び２３２を含んでよい。特定のクレードル２００の形式、特徴及び機能に応じて、一つ以上の特定の部品を除いてもよいと理解される。
【００６８】
図２６及び図２７に示すように、クレードル本体２１０は、大きな中央開口２４２を画定する。中央開口２４２は、従来のコード６（図２６）に接続されるプラグインコネクタ５に接続できるようにする。図１８〜図２０に更に示すように、コード６のコネクタ端子５は、電話２に接続されたアクセスポートと係合する。図２０に示すように、コード６の反対側の端は更なるＵＳＢコネクタ７を含んでいてよい。ＵＳＢコネクタ７は、充電部２１７の背面に露出する選択された第１第ＵＳＢポート２３２と係合する。図２０には、更なる第２コード８の長さの一部と、第２ＵＳＢポート２３０に係合する第１端子９と、装置１０に電源を供給するための例えば典型的なＡＣコンセントプラグ４４を含んだ反対側端子１１が示されている。
【００６９】
一つの実施例において、装置に給電するための別個のプラグインコード８により充電部２１７を作動させてよく、既存のスマートフォンコード６を、第１端子で電話２に係合させ、第２端子で充電部の通信給電ポートに係合させてよい。上記のように、充電部はスマートフォンの支持及び充電を提供する他の態様に修正してもよい。当業者に知られている他の手段及び構成を用いてもよい。
【００７０】
図２５の概略図は、オン／オフスイッチ２８、ＬＥＤライト２４及び２６、ＵＳＢ入力ポート３０及び３２を含んだ様々な例示的な部品を含む。これらの部品は、図１０の回路基板２２及び図２４の回路基板２２２に組み込まれて、上記の例示的なクレードル１及び２００に適用できる。電源４４が設けられており、図２０において、プラグアタッチメント４４として示されている。電源４４は、例えば外部ＡＣプラグでもよく携帯用バッテリ電源を含むものでもよい。電話２の一部を形成すると理解される付加的なＵＳＢポート（図示せず）がポート３２／２３２に接続される。付加的なＵＳＢポートは、コード６及びコネクタ端子５及び７により参照されるプラグイン箇所に対応してよい。また、別個の延長コードとして典型的にクレードル１に付属するコード８は、電源４４とＵＳＢポート３０／２３０との間に確立された接続を示す。
【００７１】
いずれかの卓上の表面での使用に加えて、クレードル１及び充電部１７／２１７の設計は、その他の環境又は表面、例えば車両のダッシュボード、ナイトテーブルの机又は当業者に知られた他の表面への応用のために構成され変更されてもよい。充電部１７／２１７は、どの範囲のスマートフォンのデザイン又は他の電子装置でも横たえた状態又は直立した状態のどちらでも支持できるように構成され、重り付き基部が、必要な程度の安定性と滑らない支持を提供する。説明するように、高価でないクレードル１は、充電部１７／２１７の電子的特徴の１つ又は全てを含むことができないことがあると理解される。
【００７２】
図２６〜図３８を参照して、クレードルの実施例とともに使用可能なリモートオーディオスピーカの実施例を説明する。図２６〜３８を参照すると、ミニチュアのテーブル又はミニチュアのフロアランプの形状に構成されるリモートスピーカ９８が示されている。対応する図３０の分解図に示されるように、ランプの本体は上方へ伸長するステム部１００を含み、ステム部１００の下端は円形脚部１０２に支持され、高い上部構造（elevated superstructure）１０４はステム部１００の上端に支持される。
【００７３】
重り付き基部１０６は円形脚部１０２にスナップフィット（snap fit）し、コード１０８が重り付き基部１０６から伸び、コード１０８は、オン／オフ押しボタン１１０をその中間点に含み、プラグインフォンジャック１１２を末端に含む。プラグインフォンジャック１１２は、例えば、電話２又は他の電子装置に接続されるオーディオヘッドフォンポートと係合する。一対のミニ出力スピーカ１１４及び１１６は、高い上部構造（図２９の断面を参照）の下側部分に係合し、伸長するコード１０８の内側端と電気的に連絡する。
【００７４】
ＬＥＤ素子１１８は、上部構造１０４から上方に伸びるランプシェード支持部１２０の内側かつ上側の部分１１９と係合する。支持部１２０は、例えば、異なるデザイン構成や色を呈することができる交換可能／置換可能なランプシェード１２２と係合する。一つの実施例において、異なる色のＬＥＤ素子が取り換え可能に係合してもよい。また、どの実施例でも、ＬＥＤ素子は、安定した照明パターン及びパルス上の照明パターンのいずれか又は両方を呈示できると理解される。ＬＥＤは、回路基板１０７によって適所にしっかりと保持された電池１０５から給電され、回路基板１０７は、スタンド基部１０２に安全に取り付けられる。基部プレート１０６は、電池（図３０を参照）を交換するために着脱可能である。電池以外の他の電源、例えば当業者に知られる標準的な壁面コンセントに接続可能な電気コードを使用してもよい。
【００７５】
最後に、図３１〜図３８をまとめて参照し、オットマン形式の家具（furniture article）１２４の形状を持つ代替的な構成の音声出力用付属品を説明する。図３８の分解図に示されるように、オットマン１２４は、一部が概略的に三次元の直方体である本体１２６を含み、本体１２６は、接触可能な（accessible）窪んだ内面を呈している。この実施例では、一連の３個の入力ポート又は開口１２８、１３０及び１３２が下辺に沿って画定される。さらにマイクロフォン開口１３４は、それより高い位置に設けられる。
【００７６】
設置基部（installable base）１３６は、他の部材のうちサブウーファ１３８及び一対のツィータ１４０及び１４２を、それぞれ位置１４４、１４６及び１４８に支持する。下側設置基部１３６は、更に、回路基板１５０、マイクロプロセッサ１５２及びミニ入力ポート１５４、１５６及び１５８を支持するように構成される。ミニ入力ポート１５４、１５６及び１５８は、オットマン１２６に形成された開口１２８、１３０及び１３２に対応する。上述の通り、例示的な脚部又は台座支持部１６０が、基部１３６の偶部に、係合ねじ１６２又は当業者に知られた取付具により取り付けられている。
【００７７】
上記説明以外に、ランプ９８又はオットマン１２４の形式のオーディオ付属品出力部品は、例えば、特定の形式及び構成の電話クレードル１／２００と協調するように、代わりの形状の形式又は構成を取り入れてもよい。同様に、ランプ９８及びオットマン１２４は、給電されてよく、また、ブルートゥース（登録商標）や既知の形式の通信を介して直接及び無線で、他の部品と電気的に及びディジタル方式で通信してよい。追加の音声出力部品は、当業者に知られているように、基本的な家具状のクレードル１／２００とキットで提供されてもよく、別個に提供されてもよい。
【００７８】
本発明の説明は、現在最も現実的で好ましい実施形態であると考えられるものについて行ったが、本発明が、開示された実施形態に限られるのではなく、むしろそれとは反対に、添付の特許請求の範囲の精神及び範囲内に含まれる様々な変形及び等価な配置を網羅することを意図することを理解するべきであり、その範囲は、法律により許される変更態様及び等価な構造の全てを含むべく、最も幅広い解釈を与えられるものである。
【図１】
2014521305.tif 000003
【図２】
2014521305.tif 000004
【図３】
2014521305.tif 000005
【図４】
2014521305.tif 000006
【図５】
2014521305.tif 000007
【図６】
2014521305.tif 000008
【図７】
2014521305.tif 000009
【図８】
2014521305.tif 000010
【図９】
2014521305.tif 000011
【図１０】
2014521305.tif 000012
【図１１】
2014521305.tif 000013
【図１２】
2014521305.tif 000014
【図１３】
2014521305.tif 000015
【図１４】
2014521305.tif 000016
【図１５】
2014521305.tif 000017
【図１６】
2014521305.tif 000018
【図１７】
2014521305.tif 000019
【図１８】
2014521305.tif 000020
【図１９】
2014521305.tif 000021
【図２０】
2014521305.tif 000022
【図２１】
2014521305.tif 000023
【図２２】
2014521305.tif 000024
【図２３】
2014521305.tif 000025
【図２４】
2014521305.tif 000026
【図２５】
2014521305.tif 000027
【図２６】
2014521305.tif 000028
【図２７】
2014521305.tif 000029
【図２８】
2014521305.tif 000030
【図２９】
2014521305.tif 000031
【図３０】
2014521305.tif 000032
【図３１】
2014521305.tif 000033
【図３２】
2014521305.tif 000034
【図３３】
2014521305.tif 000035
【図３４】
2014521305.tif 000036
【図３５】
2014521305.tif 000037
【図３６】
2014521305.tif 000038
【図３７】
2014521305.tif 000039
【図３８】
2014521305.tif 000040
【国際調査報告】
2014521305.tif 000041
2014521305.tif 000042